(57)【要約】【課題】接着剤等を使用せずにヨークと磁石とを取付けることができる固定具を提供する。【解決手段】固定具１は、ヨーク３とその内部に収納された直方体形状の磁石２とから構成されている。ヨーク３は、磁石の上面に沿うように配置された長方形形状の平板部４と、平板部４の一対の長辺に接続され、磁石２の一対の側面を囲う一対の側壁部７ａ及び７ｂとからなる。一対の側壁部７ａ及び７ｂは、その内面同志の間隔が、平板部４側から磁石２の露出した面側へと向かうにつれて小さくなり、磁石２の露出した面より外方では磁石２の幅より小さくなるように、互いに傾斜して配置されている。磁石２がヨーク内に収納された状態では、磁石２がヨーク３の外方に移動しようとしても、磁石２の露出した面を構成する一対の長辺の各々が側壁部７ａ及び７ｂの内面に当接して、その移動が阻止される。【選択図】        図３
2004333046.tif 000002
【特許請求の範囲】
【請求項１】
ヨーク内に磁石が収納された固定具において、
前記磁石の前記ヨークから外方側に露出している面において対向する外周縁同志の距離に対して、前記外周縁の各々を囲う前記ヨークの部分における前記磁石から前記外方側の各々の内面同志の最小距離が小さくなるように、前記ヨークの少なくとも一部が形成されたことを特徴とする、固定具。
【請求項２】
前記磁石は、直方体形状を有し、
前記ヨークは、前記磁石の露出している面と対向する面に沿うように配置された長方形板状の平板部と、前記平板部の一方の長辺に接続され前記磁石の対向する一対の側面の一方に沿うように配置された長方形板状の第１側壁部と、前記平板部の他方の長辺に接続され、前記第１側壁部との内方面同志の間隔が前記外方側へと向かって小さくなるように傾斜する長方形板状の第２側壁部とからなる、請求項１記載の固定具。
【請求項３】
前記磁石は、直方体形状を有し、
前記ヨークは、前記磁石の露出している面と対向する面に沿うように配置された長方形板状の平板部と、前記平板部の一対の長辺の各々に接続され、内面同志の間隔が前記外方側へと向かって小さくなるように互いに傾斜する一対の長方形板状の側壁部とからなる、請求項１記載の固定具。
【請求項４】
前記側壁部の一方の一部は切り欠かれ、被取付体を接続するための接続部が前記一部を介して前記平板部に接続される、請求項３記載の固定具。
【請求項５】
前記磁石は、直方体形状を有し、
前記ヨークは、前記磁石の露出している面と対向する面に沿うように配置された長方形板状の平板部と、前記平板部の一対の長辺の各々に接続され、前記磁石の一対の側面とほぼ平行に配置された一対の長方形板状の側壁部とを有し、
前記側壁部の各々の対向する一部のみが、その内面同志の間隔が前記外方側へと向かって小さくなるように傾斜する、請求項１記載の固定具。
【請求項６】
前記磁石は、円柱形状を有し、
前記ヨークは、前記磁石の露出している面と対向する面に沿うように配置された円形板状の平板部と、前記平板部の外周縁に接続され、対向する部分の内面同志の間隔が前記外方側へと向かって小さくなるように形成された円錐台側壁板状の側壁部とからなる、請求項１記載の固定具。
【発明の詳細な説明】
【０００１】
【発明の属する技術分野】
この発明は、固定具に関し、特に換気扇フィルター等を取付けるために用いられるヨーク内に磁石が収納された固定具に関するものである。
【０００２】
【従来の技術】
図１１は、従来の固定具によるレンジフードへのフィルターの取付状態を示した図である。
【０００３】
図を参照して、台所の調理台に設置されたガスレンジ５４の垂直上方の壁面に、レンジフード５０が取付けられている。レンジフード５０の下面５５には、吸気口６１が形成されており、吸気口６１の内部に取付けられた図示しないファンによって、ガスレンジ５４上の空気が排出されるように構成されている。また、レンジフード５０の下面には、図示しないファンへの接触を防ぐために格子状の金属枠体５１が吸気口６１を覆うように取付けられている。
【０００４】
図に示したフィルター５３は、不織布等で構成され、油汚れや埃等が金属枠体５１等に付着するのを防ぐために、金属枠体５１を覆うように取付けて使用するものである。このフィルター５３を取付ける際は、まず、金属枠体５１の周囲に取付けた面ファスナー５２によって、二点鎖線で示した位置にフィルター５３を仮止めする。次に、磁石を含む固定具５６によってフィルター５３の外周部分を磁性体であるレンジフード５０の下面５５に固定して取付が完了する。
【０００５】
図１２は、図１１で示した固定具５６の拡大斜視図であり、図１３は、図１２で示したＸＩＩＩ−ＸＩＩＩラインから見た正面図である。
【０００６】
これらの図を参照して、固定具５６は、ヨーク５７とその内部に収納された直方体形状の磁石２とから構成されている。ヨーク５７は、一枚の鉄板等の磁性体を断面コの字状に折り曲げ加工することにより、磁石２の露出した面と対向する面に沿うように配置された長方形形状の平板部５８と、平板部５８の一対の長辺に接続され、磁石の一対の側面に平行に配置された一対の長方形形状の側壁部５９ａ及び５９ｂとからなる。このヨーク５７の内方部分の寸法は、側壁部５９ａ及び５９ｂの内方面同志の間隔は磁石２の幅より大きく、かつ、平板部５８の内方面と側壁部５９ａ及び５９ｂの端部との間隔は磁石２の高さより大きくなるように設定されている。磁石２は、このように形成されたヨーク５７の内方部分に配置され、ヨーク５７との分離を防ぐために、接着剤や両面テープを用いて平板部５８の内方面に固定されている。
【０００７】
固定具５６の使用時は、図１３の二点鎖線で示すように、レンジフードの下面部分等の被取付面３０と固定具５６の磁石２が露出した面側との間にフィルター５３を挟むように配置して、フィルター５３を固定具５６の磁力で被取付面３０に固定する。また、フィルター５３の交換等をする際は、固定具５６全体を被取付面３０から引き離すようにして取り外すことができる。
【０００８】
【発明が解決しようとする課題】
上記のような固定具では、磁石とヨークとが接着剤や両面テープで固定されているが、使用によって接着剤等が変質すると、僅かな衝撃によって磁石とヨークとが外れやすくなってしまう。特に、固定具の取り外し時に、ヨーク部分を持って固定具を取り外そうとすると、磁石は被取付面に吸着するため、ヨークだけが被取付面から外れやすい。そうすると、もはや当該固定具を使用することができなくなるという不便が生じる。
【０００９】
この発明は、上記のような課題を解決するためになされたもので、接着剤等を使用せずにヨークと磁石とを取付けることができる固定具を提供することを目的とする。
【００１０】
【課題を解決するための手段】
上記の課題を達成するために、請求項１記載の発明は、ヨーク内に磁石が収納された固定具において、磁石のヨークから外方側に露出している面において対向する外周縁同志の距離に対して、外周縁の各々を囲うヨークの部分における磁石から外方側の各々の内面同志の最小距離が小さくなるように、ヨークの少なくとも一部が形成されたことを特徴とするものである。
【００１１】
このように構成すると、磁石はヨークの少なくとも一部により、その露出している面と直交する方向のヨーク外方への移動が阻止される。
【００１２】
請求項２記載の発明は、請求項１記載の発明の構成において、磁石は、直方体形状を有し、ヨークは、磁石の露出している面と対向する面に沿うように配置された長方形板状の平板部と、平板部の一方の長辺に接続され磁石の対向する一対の側面の一方に沿うように配置された長方形板状の第１側壁部と、平板部の他方の長辺に接続され、第１側壁部との内方面同志の間隔が外方側へと向かって小さくなるように傾斜する長方形板状の第２側壁部とからなるものである。
【００１３】
このように構成すると、第１側壁部の端部と第２側壁部の端部との内面同志の距離は、すべて磁石の幅より小さくなる。
【００１４】
請求項３記載の発明は、請求項１記載の発明の構成において、磁石は、直方体形状を有し、ヨークは、磁石の露出している面と対向する面に沿うように配置された長方形板状の平板部と、平板部の一対の長辺の各々に接続され、内面同志の間隔が外方側へと向かって小さくなるように互いに傾斜する一対の長方形板状の側壁部とからなるものである。
【００１５】
このように構成すると、一対の側壁部の端部の内面同志の距離は、すべて磁石の幅より小さくなる。
【００１６】
請求項４記載の発明は、請求項３記載の発明の構成において、側壁部の一方の一部は切り欠かれ、被取付体を接続するための接続部が一部を介して平板部に接続されるものである。
【００１７】
このように構成すると、被取付体は接続部を介して固定具に固定される。
【００１８】
請求項５記載の発明は、請求項１記載の発明の構成において、磁石は、直方体形状を有し、ヨークは、磁石の露出している面と対向する面に沿うように配置された長方形板状の平板部と、平板部の一対の長辺の各々に接続され、磁石の一対の側面とほぼ平行に配置された一対の長方形板状の側壁部とを有し、側壁部の各々の対向する一部のみが、その内面同志の間隔が外方側へと向かって小さくなるように傾斜するものである。
【００１９】
このように構成すると、磁石の露出している面と直交する方向の移動は、ヨークの側壁部の一部においてのみ阻止される。
【００２０】
請求項６記載の発明は、請求項１記載の発明の構成において、磁石は、円柱形状を有し、ヨークは、磁石の露出している面と対向する面に沿うように配置された円形板状の平板部と、平板部の外周縁に接続され、対向する部分の内面同志の間隔が外方側へと向かって小さくなるように形成された円錐台側壁板状の側壁部とからなるものである。
【００２１】
このように構成すると、側壁部の端部の内面の径は、磁石の径より小さくなる。
【００２２】
【発明の効果】
以上説明したように、請求項１記載の発明は、磁石はヨークの少なくとも一部により、その露出している面と直交する方向のヨーク外方への移動が阻止されるため、ヨークから磁石の脱落を阻止することが可能となる。
【００２３】
請求項２記載の発明は、請求項１記載の発明の効果に加えて、第１側壁部の端部と第２側壁部の端部との内面同志の距離は、すべて磁石の幅より小さくなるため、磁石の移動阻止効果が向上する。また、第２側壁部が先細り状態となるため、ヨーク部分がつかみやすくなり、固定具の取り外しが容易となる。
【００２４】
請求項３記載の発明は、請求項１記載の発明の効果に加えて、一対の側壁部の端部の内面同志の距離は、すべて磁石の幅より小さくなるため、磁石の移動阻止効果が向上する。また、一対の側壁部の各々が先細り状態となるため、ヨーク部分が更につかみやすくなり、固定具の取り外しが一層容易となる。
【００２５】
請求項４記載の発明は、請求項３記載の発明の効果に加えて、被取付体は接続部を介して固定具に固定されるため、固定具と取付面との間に挟むようにして取付ができない被取付体の取付けも可能となる。
【００２６】
請求項５記載の発明は、請求項１記載の発明の効果に加えて、磁石の露出している面と直交する方向の移動は、ヨークの側壁部の一部においてのみ阻止されるため、効率的な磁石の取付けが可能となる。
【００２７】
請求項６記載の発明は、請求項１記載の発明の効果に加えて、側壁部の端部の内面の径は、磁石の磁石の径より小さくなるため、磁石の移動阻止効果が向上する。また、側壁部が円錐台形状の先細り状態となるため、ヨーク部分がつかみやすくなり、固定具の取り外しが容易となる。
【００２８】
【発明の実施の形態】
図１は、この発明の第１の実施の形態による固定具の斜視図であり、図２は、図１で示したＩＩ−ＩＩラインから見た正面図である。
【００２９】
これらの図を参照して、固定具１は、図１１〜図１３で示した従来例と同様に、台所のレンジフードの磁性体の被取付面にフィルターを固定する等の目的で使用されるものである。固定具１は、従来例と同様に、ヨーク３とその内部に収納された直方体形状の磁石とから構成されているが、ヨーク３の形状が従来例とは異なっている。
【００３０】
ヨーク３は、一枚の鉄板等の磁性体を断面がほぼコの字状となるように折り曲げ加工して形成され、平板部４と第１側壁部５と第２側壁部６とからなる。平板部４は長方形形状を有し、磁石２の露出した面と対向する面に沿うように配置されている。平板部４の短辺方向及び長辺方向の寸法はそれぞれ磁石２の幅及び長さより若干大きく形成されている。第１側壁部５は、長方形形状を有し、平板部４の一方の長辺に接続され、磁石２の一対の側面の一方に沿うように配置されている。第２側壁部６も長方形形状を有し平板部４の他方の長辺に接続されているが、平板４から磁石２の露出した面へと向かうにつれて、第１側壁部５と第２側壁部６との内面同志の間隔が小さくなるように磁石２の一方の側面に対して傾斜している。
【００３１】
このヨーク３の第１側壁部５と第２側壁部６との内面同志の間隔は、磁石２の露出した面より外方側となる部分では磁石２の幅より小さく、磁石２の露出した面より内方側となる部分では磁石の幅より大きく設定されている。また、平板部４の内方面から第１側壁部５及び第２側壁部６の各々の先端までの垂直距離は、磁石２の高さより大きく設定されている。
【００３２】
ヨーク３がこのように構成されているため、その内部に磁石２が収納された状態では、磁石２の露出した面の一方の長辺が第２側板部６の内面と当接する。このため、磁石２は、ヨーク３の外方へと向かう方向、すなわち、平板部４と直交する方向の移動が阻止されている。また、第１側壁部５と第２側壁部６との先端部分同志の幅はすべて磁石の幅より小さくなっているため、磁石２の露出した面の一方の長辺部分全体に対して効率的に磁石２の移動が阻止されている。したがって、接着剤や両面テープ等を使用しなくても、磁石２がその露出した面の外方、すなわち、固定具１の使用時における被取付面側へと分離することが阻止される。ただし、このとき、磁石２は平板部４の内面に接着されていないため、ヨーク３の内面位置から、磁石２の長手方向にスライド自在に図１の二点鎖線で示した位置へと取り外すことは可能である。そのため、固定具１の通常使用時には加わる力方向への分離は阻止されているが、必要に応じて、磁石２とヨーク３とを分離することが可能となる。
【００３３】
また、第２側壁部６は、第１側壁部５との内面同志の間隔が、磁石２の露出した面側、すなわち、固定具１の使用時における被取付面側において最も小さくなるように平板部４側から先細り状に傾斜して配置されている。このため、ヨーク３をその幅方向につかみやすくなり、使用時に固定具１を取り外しやすくなる。
【００３４】
図３は、この発明の第２の実施の形態による固定具の斜視図であり、図４は、図３で示したＩＶ−ＩＶラインから見た正面図である。
【００３５】
これらの図を参照して、この実施の形態による固定具１は、第１の実施の形態で示したものと同様に、ヨーク３とその内部に収納された直方体形状の磁石２とから構成されているが、ヨーク３の形状が第１の実施の形態とは異なっている。
【００３６】
この実施の形態のヨーク３は、磁石２の上面に沿うように配置された長方形形状の平板部４と、平板部４の一対の長辺の各々に接続され、磁石２の一対の側面をそれぞれ囲う長方形形状の一対の側壁部７ａ及び７ｂとから構成されている。側壁部７ａ及び７ｂは、その内面同志の間隔が平板部４から磁石２の露出した面へと向かう方向に小さくなるように、互いに傾斜するように形成されている。
【００３７】
このヨーク３の内方部分の寸法は、磁石２との相対関係において、第１の実施の形態におけるものと同様に設定されている。すなわち、側壁部７ａ及び７ｂの内面同志の間隔は、磁石２の露出した面より外方に位置する部分では磁石２の幅より小さく、露出した面より内方に位置する部分では磁石２の幅より大きく設定されている。また、平板部４の内方面から側壁部７ａ及び７ｂの各々の先端までの垂直距離は、磁石２の高さより若干大きく設定されている。
【００３８】
ヨーク３がこのように構成されているため、その内部に磁石２が収納された状態では、磁石２の露出した面の一対の長辺部分の各々は、側壁部７ａ及び７ｂの内面のそれぞれと当接する。このため、磁石２は、平板部４と直交する方向におけるヨーク３の外方への移動が阻止されている。また、側壁部７ａ及び７ｂの先端部分同志の間隔はすべて磁石の幅より小さくなっているため、磁石２の露出した面の一対の長辺部分全体に対して移動阻止効果を発揮し、第１の実施の形態におけるものと比較して更に効果的に磁石２の移動が阻止されている。したがって、接着剤や両面テープ等を使用しなくても、磁石２がその露出した面の外方、すなわち、固定具１の使用時における被取付面側へと分離することが阻止される。尚、この実施の形態の固定具１においても、磁石２を、ヨーク３の内面位置から、磁石２の長手方向にスライド自在に図３の二点鎖線で示した位置へと取り外すことは可能である。よって、通常使用時に加わる力の方向に対して磁石２とヨーク３との分離が阻止されているが、必要に応じてこれらを分離することが可能となる。
【００３９】
また、この実施の形態のヨーク３は、一対の側壁部７ａ及び７ｂの両方が傾斜するように配置され、ヨーク３の幅方向の大きさは、磁石２の露出した面側が最も小さくなっている。これにより、第１の実施の形態の固定具と比べても更にヨーク３の幅方向のつかみやすさが向上し、使用時に固定具１の取り外しがより一層しやすくなる。
【００４０】
図５は、この発明の第３の実施の形態による固定具の斜視図であり、図６は、図５で示したＶＩ−ＶＩラインから見た正面図である。
【００４１】
これらの図を参照して、ヨーク３部分は、第２の実施の形態で示したものと基本的な構成及び寸法は同様であるが、一方の側壁部の一部が切り欠かれて、一対の側壁部８ａ及び８ｂが形成されている点と、その切り欠かれた一部に接続部１２が取付けられている点とが第２の実施の形態とは大きく異なっている。
【００４２】
ヨーク３の側壁部８ａ及び８ｂはそれぞれ、平板部４の一方の長辺の長手方向の端部の各々から所定範囲に接続されている。側壁部８ａ及び８ｂの各々は、側壁部７の内面の対向する部分との間隔が、平板部４から磁石２の露出した面側へと向かうにつれて小さくなるよう傾斜している。そして、ヨーク３の内方の寸法は、第２の実施の形態によるものと基本的に同様であり、側壁部７と側壁部８ａ及び８ｂとの内面同志の間隔は、磁石２の露出した面より外方側となる部分では磁石２の幅より小さく、露出した面より内方側となる部分では磁石２の幅より大きく設定されている。尚、平板部４と側壁部８ａ及び８ｂとの接続部分であるコーナー部９ａ及び９ｂは、後述するフィルターカバー２０の縁巻２１を取付けやすくするために、丸みを帯びるように形成されている。
【００４３】
このように構成されているため、磁石２がヨーク３に収納された状態では、磁石２の露出した面の一方の長辺と、他方の長辺の各々の端部から所定部分とが、側壁部７と側壁部８ａ及び８ｂの内面にそれぞれ当接する。したがって、磁石２は、ヨーク３の外方への平板部４と直交する方向の移動が阻止されている。
【００４４】
一方、接続部１２は、平板部４の一方の長辺の切り欠かれた部分、すなわち、側壁部８ａ及び８ｂに挟まれた部分に取付けられている。接続部１２は、一枚の平板の折り曲げ加工等によって形成された複数の長方形形状の区画から構成されている。すなわち、接続部１２は、平板部４の切り欠かれた部分に接続され磁石２の側面とほぼ平行に配置された第１垂直部１０と、第１垂直部１０に接続され、側壁部７、側壁部８ａ及び８ｂの各々の先端部分が含まれる平面と同一平面を構成するように配置された水平部１３と、水平部１３に接続され第１垂直部とほぼ平行に配置された第２垂直部１４と、第２垂直部１４に接続されヨーク３側に近づくにつれて平板部４の外方面に近づくように傾斜する傾斜部１５と、傾斜部１５に接続され、平板部４から離れるように傾斜する先端部１６とから、構成されている。尚、平板部４と第１垂直部１０との接続部分であるコーナー部９ｃもまた、丸みを帯びるように形成されているが、前述のコーナー部９ａ及び９ｂと同様に後述する縁巻２１を取付けやすくするためのものである。
【００４５】
ここで、この実施の形態による固定具１の使用状態について説明する。
【００４６】
図の二点鎖線で示した部分はレンジフード用フィルター等の被取付体２０の一部である。この被取付体２０は、アルミ箔の成形体にフィルターが取付けられた構成よりなり、平板部２３と、その端縁に形成された縁巻２１と、縁巻２１から平板部２３の内方側へと形成された矩形形状の開口２２を有している。この開口２２に対して、固定具１の接続部１２を、その先端部１６から順に通すと、被取付体２０の縁巻２１が接続部１２の内部に位置し、接続部１２が開口２２を貫通するように配置される。この状態で固定具１の磁石２が露出した面を被取付面３０に固定することによって、被取付体２０を被取付面３０に取付けることができる。
【００４７】
このように、固定具１と被取付体２０とを接続することができるため、アルミ箔成形体のような被取付体２０で、固定具１と被取付面３０との間に挟むように取付けることができないものであっても、接続部１２を介して固定具１により固定することが可能となる。
【００４８】
図７は、この発明の第４の実施の形態による固定具の斜視図であり、図８は、図７で示したＶＩＩＩ−ＶＩＩＩラインの断面図である。
【００４９】
これらの図を参照して、固定具１は、ヨーク３とヨーク３に収納された直方体形状の磁石２とから構成されている。
【００５０】
ヨーク３は、磁石２の露出した面と対向する面に沿うように配置された長方形形状の平板部４と、平板部４の一対の長辺の各々に接続され磁石２の一対の側面の各々とほぼ平行となるよう配置された一対の側壁部７ａ及び７ｂとから構成されている。更に、側壁部７ａ及び７ｂの対向する一部分で、側壁部７ａ及び７ｂの先端側から所定範囲の部分の両側に切り込みが入れられ、その部分がヨーク３の内方側へと折り曲げられて折り曲げ部２５ａ及び２５ｂが形成されている。
【００５１】
このヨーク３の折り曲げ部２５ａ及び２５ｂの内面同志の間隔は、磁石２の露出した面より外方側となる部分では磁石２の幅より小さく、磁石２の露出した面より内方側となる部分では磁石の幅より大きく設定されている。また、平板部４の内方面から側壁部７ａ及び７ｂ、折り曲げ部２５ａ及び２５ｂのそれぞれの先端までの垂直距離は、磁石２の高さより大きく設定されている。
【００５２】
ヨーク３はこのように形成されているため、磁石２がヨーク３に収納された状態では、磁石２の露出した面の一対の長辺の各々の一部分が、折り曲げ部２５ａ及び２５ｂの内面と当接する。したがって、折り曲げ部２５ａ及び２５ｂによって、磁石２がヨーク３の外方へと平板４と直交する方向に分離することが阻止される。また、折り曲げ部２５ａ及び２５ｂの部分のみによって、磁石とヨークとが固定されるため、効率的な磁石の取付けが可能となる。
【００５３】
図９は、この発明の第５の実施の形態による固定具の斜視図であり、図１０は、図９で示したＸ−Ｘラインの断面図である。
【００５４】
これらの図を参照して、固定具１は、円錐台形状のヨーク３とヨーク３に収納された円柱形状の磁石２とから構成されている。
【００５５】
ヨーク３は、磁石２の露出した面に沿うように配置された円形状の平板部４と、平板部４の外周縁に接続された側壁部７とからなる。側壁部７は、円錐台の側壁形状、すなわち、対向する部分の内面同志の間隔が平板部４から磁石２の露出した面へと向かうにつれて小さくなるように形成されている。そして、側壁部７の内面同志の直径方向の寸法は、磁石２の露出した面より外方となる部分では磁石２の直径よりも小さく、磁石２より内方となる部分では磁石２の直径より大きく設定されている。
【００５６】
したがって、磁石２がヨーク３に収納された状態では、磁石２の露出した面の外周縁は側壁部７の内面と当接する。よって、磁石２はヨーク３の外方へと移動することができず、磁石２のヨーク３からの分離が完全に阻止される。
【００５７】
また、側壁部７は、磁石２の露出した面側、すなわち、使用時の被取付面側において、その直径方向の大きさが最も小さくなるように形成されているため、使用時にヨーク３の側壁部７部分がつかみやすくなり、固定具１を取り外しやすくなる。
【００５８】
尚、上記の各実施の形態では、磁石として直方体形状または円柱形状のものを使用しているが、他の形状の磁石を使用しても良い。
【００５９】
また、上記の各実施の形態では、レンジフードにフィルターを取付けるための固定具に適用しているが、他の用途に使用する固定具にも同様に適用することができる。
【００６０】
更に、上記の各実施の形態では、磁石とヨークとの固定に接着剤等を併用しても良い。
【００６１】
更に、上記の第１から第４の各実施の形態では、直方体形状の磁石の側面に対して側壁部の少なくとも一部が傾斜するように構成されているが、必ずしも傾斜している必要はなく、磁石の露出した面より外方となる部分の内方面同志の最小距離が磁石の幅より小さく形成されていれば良い。
【００６２】
更に、上記の第１から第４の各実施の形態では、一対のヨークに磁石の長手方向への移動を阻止する手段を設けたり、ヨークに囲われていない一対の側面に更に側壁部を設ける等により、磁石の分離を完全に阻止する構成とすることも可能である。
【００６３】
更に、上記の第３の実施の形態では、ヨークの平板部に接続された接続部は、平板の複数箇所を折り曲げることにより形成されているが、被取付体の形状等に合わせて他の形状に形成しても良い。
【００６４】
更に、上記の第４の実施の形態では、折り曲げ部は、一対の側壁部の各々のほぼ中央の位置にそれぞれ形成されているが、他の部分や長手方向全体に形成されていても良い。又、折り曲げ部は一方の側壁部にのみ形成されていても良い
更に、上記の第５の実施の形態では、ヨークの側壁部は円錐台形の側壁形状となるように構成されているが、必ずしも円錐台形である必要はなく、磁石の露出した面より外方となる部分の内方面同志の最小距離が磁石の幅より小さく形成されていれば良い。
【図面の簡単な説明】
【図１】この発明の第１の実施の形態による固定具の斜視図である。
【図２】図１で示したＩＩ−ＩＩラインから見た正面図である。
【図３】この発明の第２の実施の形態による固定具の斜視図である。
【図４】図３で示したＩＶ−ＩＶラインから見た正面図である。
【図５】この発明の第３の実施の形態による固定具の斜視図である。
【図６】図５で示したＶＩ−ＶＩラインから見た正面図である。
【図７】この発明の第４の実施の形態による固定具の斜視図である。
【図８】図７で示したＶＩＩＩ−ＶＩＩＩラインの断面図である。
【図９】この発明の第５の実施の形態による固定具の斜視図である。
【図１０】図９で示したＸ−Ｘラインの断面図である。
【図１１】従来の固定具によるレンジフードへのフィルターの取付状態を示した図である。
【図１２】図１１で示した固定具の拡大斜視図である。
【図１３】図１２で示したＸＩＩＩ−ＸＩＩＩラインから見た正面図である。
【符号の説明】
１…固定具
２…磁石
３…ヨーク
４…平板部
５…第１側壁部
６…第２側壁部
７、８…側壁部
１２…接続部
２０…被取付体
２５…折り曲げ部
尚、各図中同一符号は同一又は相当部分を示す。
【図１】
2004333046.tif 000003
【図２】
2004333046.tif 000004
【図３】
2004333046.tif 000005
【図４】
2004333046.tif 000006
【図５】
2004333046.tif 000007
【図６】
2004333046.tif 000008
【図７】
2004333046.tif 000009
【図８】
2004333046.tif 000010
【図９】
2004333046.tif 000011
【図１０】
2004333046.tif 000012
【図１１】
2004333046.tif 000013
【図１２】
2004333046.tif 000014
【図１３】
2004333046.tif 000015